(57)【要約】【課題】ピンポン、テニス、バドミントン、スカッシュ等の球技の練習時において、打球具のスイングの適確性を自他共に確認評価できる練習用打球具を提供すること。【解決手段】前記打球具のフェイス１のスイートエリア２或いはフェイスに所要形状、所要面積の抜穴３を配設する。  このほか、抜穴３に捕球体（虫とり網状袋７）又は低反発体を着脱自在に係着する。【選択図】図１
2008245975.tif 000002
【特許請求の範囲】
【請求項１】
ピンポン、テニス、バドミントン、スカッシュ等のラケット（以下、打球具とする。）において、該打球具のフェイスのスイートエリアに所要形状、所要面積の抜穴を配設して成り、スイートエリアで打球するスイングの適確性を自他共に確認評価できることを特徴とした練習用打球具。
【請求項２】
前記抜穴に捕球体又は低反発体を着脱自在に係着して成る請求項１記載の練習用打球具。
【請求項３】
前記打球具のフェイスに所要形状、所要面積の抜穴を配設して成る練習用打球具。
【請求項４】
前記抜穴に捕球体又は低反発体を着脱自在に係着して成る請求項３記載の練習用打球具。
【発明の詳細な説明】
【技術分野】
【０００１】
本発明は、スポーツ分野に属し、ピンポン、テニス、バドミントン、スカッシュ等のラケット（以下、打球具とする。）に関する。
【背景技術】
【０００２】
従来から提案されているピンポン、テニス、バドミントン、スカッシュ等の打球具は、プレーヤーの捕球時や打球時における最適な剛性、操作性、反発性などの諸性能を重視したものであるが、練習時にスイートエリアにボールを当てるスイングの適確性を自他共に確認評価できるものがなかった。
その従来の技術としては、特開平１１−１１４１００（特許文献１）特開２００５−１２４９１１（特許文献２）、特開２００６−３４６４４４（特許文献３）、特開２００５−１２４９１２（特許文献４）があるが、いずれもがスイートエリアにボールを当てたことを自他共に確認できるものでなかった。
【特許文献１】特開平１１−１１４１００号公報
【特許文献２】特開２００５−１２４９１１号公報
【特許文献３】特開２００６−３４６４４４号公報
【特許文献４】特開２００５−１２４９１２号公報
【発明の開示】
【発明が解決しようとする課題】
【０００３】
本発明は上記実情に鑑みて、ピンポン、テニス、バドミントン、スカッシュ等の球技の練習時において、打球具のスイングの適確性を自他共に確認評価できる練習用打球具を提供しようとするものである。
【課題を解決するための手段】
【０００４】
本発明の請求項１に記載した練習用打球具は、ピンポン、テニス、バドミントン、スカッシュ等の打球具において、該打球具のフェイスのスイートエリアに所要形状、所要面積の抜穴を配設して成る。
請求項２に記載した練習用打球具は、請求項１に記載した練習用打球具において、前記抜穴に捕球体又は低反発体を着脱自在に係着して成る。
請求項３、４に記載した練習用打球具は、抜穴の配設位置をフェイスで限定しないものである。
【発明の効果】
【０００５】
以上のように本発明の練習用打球具は、本来強い打球を打つことができるフェイスのスイートエリアに抜穴を設けたから、打球できずに抜穴からスルーできれば確実にスイートエリアで返球したことになり、自他共にスイングの適確性を確認評価できる。
また、抜穴に捕球体としての虫とり網状袋等を設けたものでは、スイングで該袋等に打球を捕球できれば前記と同様にスイングの適確性が自他共に確認評価できるとともに打球の散乱が解消され、前記の単に抜穴を設けたものに比して空気抵抗が生じ、そのためにスイング力の増強性を自覚させる。抜穴に捕球体としての低反発体を設けたものでは、スイング時の低衝撃及び低衝撃に伴う弱い返球によってスイングの適確性が自他共に確認評価でき練習成果を一目瞭然とする効果がある。
【発明を実施するための最良の形態】
【０００６】
抜穴に着脱自在に嵌着する捕球体や低反発体は、スイートエリアに打球できたスイングを実証するためのものであるから、捕球体としては虫とり網状袋等が好適であり、低反発体としてはフェイスを構成する材質より軟弱な剛性で多孔の盤状のものや低い張力でストリングを張設したものがある。抜穴の形状は円形や角形などであるが、その大きさは各球技に使用されるボールやシャトルを十分に通過させ得る面積で形成される。捕球体又は低反発体を抜穴に着脱自在に係着するとは、抜穴の周縁に面状ファスナー等で接合するものや、抜穴に前記袋等を周設したリングや前記盤状のものを嵌合するものがある。
抜穴はまた、フェイスのスイートエリアに限定しない場合がある。さらに、ピンポンのラケットは板状体から成るので抜穴の構成が、他のラケットのようにストリングで構成されるものに比し簡略化され製作し易い。
【実施例】
【０００７】
本発明を実施例により説明すると、テニスの練習用打球具Ａでは図１に示すように、フェイス１の中のストライクゾーン、いわゆるスイートエリア（スイートスポットを核とする。）２に、直径100mm〜120mmの範囲の抜穴３が貫設された外郭円形の額縁４が配置され、フレーム５に対して縦、横のストリング６で所定の張力で支持されて成る。
【０００８】
このようにして成る練習用打球具Ａは、スイングの練習時に飛んで来るボールを適確にスイートエリア２で捕えたときは、そのボールを抜穴３からスルーするので、自他共にスイングの適確性を確認評価できる。このとき、抜穴３からスルーするボールは彼方此方に散乱するため回収に手間取る問題がある。
【０００９】
そこで、図２に示すように抜穴３に捕球体としての虫とり網状袋７を抜穴３を通して額縁４の表面に面状ファスナー８を介して着脱自在に係着する。すなわち、虫とり網状袋７は図２（ｂ）に示すように、虫とり網状袋７を周設した外郭円形のリング９を介して額縁４の表面に係着され、取り外すときはリング９の表または裏側に接合した舌片１０を引けば面状ファスナー８は分離される。
【００１０】
このようにして成る練習用打球具Ｂは、スイングの練習時に、飛んで来るボールを適確にスイートエリア２で捕えたときは、ボールは虫とり網状袋７に収まるから周囲に散乱せずボール回収などの後始末が楽になる。
【００１１】
バドミントンの練習用打球具Ｃを実施例により説明すると、図３に示すように、フェイス１のスイートエリア２に直径100mm〜120mmの抜穴３を貫設した額縁４を配置し、フレーム５に対して縦、横のストリング６で所定の張力で支持される。
したがって、スイングの練習時に飛んで来るシャトルを適確にスイートエリア２で捕えたときは、シャトルは抜穴３からスルーするので自他共にスイングの適確性を評価できる。
この場合もスルーしたシャトルは周囲の彼方此方に散乱してその回収に手間取るから、前記と同様に額縁４にリング９を介して虫とり網状袋７を面状ファスナー８で接合したもの（図外）としても提供される。
【００１２】
ピンポンの練習用打球具Ｄを実施例により説明すると、図４に示すように、フェイス１のスイートエリア２にボールを通過できる直径（60mm程度）の抜穴３を穿設して成る。
したがって、スイングの練習時に飛んで来るボールを適確にスイートエリア２で捕捉したときは、ボールは抜穴３からスルーするので自他共にスイングの適確性を評価できる。
この場合もスルーしたボールは周囲の彼方此方に散乱してその回収に手間取るから、前記と同様に外郭円形のリング９に虫とり網状袋７を周設し、リング９を面状ファスナー８を介してフェイス１に抜穴３の周縁に着脱自在に係着したもの（図外）が提供される。
【産業上の利用可能性】
【００１３】
本発明の練習用打球具によれば、ピンポン等の球技のスイングの練習において、スイートエリア２で捕捉されるボールやシャトルは抜穴３からスルーし、又は虫とり網状袋等７に収められ、若しくは低反発体で弱い打球となって返球されスイングの適確性を自他共に評価できるので、練習に効果的な練習具として需要が期待されスポーツ用具業界の活性化にも資する。
【図面の簡単な説明】
【００１４】
【図１】本発明の練習用打球具Ａの正面図。
【図２】本発明の練習用打球具Ｂの説明図で、（ａ）は図１において抜穴３に虫とり網状袋７を着脱自在に係着した状態の右側面図、（ｂ）は抜穴３と虫とり網状袋７の取付け状態を拡大部分断面で示した説明図。
【図３】本発明の練習用打球具Ｃのハンドル部を一部省略した正面図。
【図４】本発明の練習用打球具Ｄの正面図。
【符号の説明】
【００１５】
１：フェイス
２：スイートエリア
３：抜穴
４：額縁
５：フレーム
６：ストリング
７：虫とり網状袋
８：面状ファスナー
９：リング
１０：舌片
Ａ乃至Ｄ：練習用打球具
【図１】
2008245975.tif 000003
【図２】
2008245975.tif 000004
【図３】
2008245975.tif 000005
【図４】
2008245975.tif 000006